(57)【要約】【課題】海賊対策および緊急時対策を満足する舶用扉用の施錠装置、およびそれを設けた舶用扉を提供する。【解決手段】船舶用のヒンジ型舶用扉に対する施錠装置であって、該舶用扉を船体内外より同軸上のハンドルにより鎖錠、解錠を行う施錠部材とは別途に設けられており、立上がり部に固定起立された１組または複数組のボルト・ナットにより舶用扉に直接係合される金具本体と、該金具本体の前記立上がり部に直交連接された金具本体の脚部に設けられたヒンジ軸を中心に１８０゜回転して舶用扉の施錠、解錠を船内からのみ可能とする反転式留め金とを有しており、該反転式留め金の施錠、解錠状態を確実に保持するための係合手段を具え、前記１本または複数のボルト・ナットは特殊工具によってのみ締緩される特殊多角形ナットを具えた締緩手段を有する舶用扉の施錠装置およびそれを設けた舶用扉。【選択図】図１
2008155669.tif 000002
【特許請求の範囲】
【請求項１】
船舶用のヒンジ型舶用扉に対する施錠装置であって、該舶用扉を船体内外より同軸上のハンドルにより鎖錠、解錠を行う施錠部材とは別途に設けられており、立上がり部に固定起立された１本または複数のボルト・ナットにより舶用扉に直接係合される金具本体と、該金具本体の前記立上がり部に直交連接された金具本体の脚部に設けられたヒンジ軸を中心に１８０゜回転して舶用扉の施錠、解錠を船内からのみ可能とする反転式留め金とを有しており、
また、該反転式留め金の施錠、解錠状態を確実に保持するための係合手段を具え、且つ前記１本または複数のボルト・ナットは船外より特殊工具によってのみ締緩される締緩手段を有することを特徴とする舶用扉の施錠装置。
【請求項２】
前記ヒンジ軸が金具本体の脚部に固定起立されたピン又はボルト・ナットであり、前記係合手段がヒンジ軸に並列起立されたボルト・ナットであることを特徴とする請求項１に記載の舶用扉の施錠装置。
【請求項３】
前記締緩手段が袋ナット方式であり、ナットが六角ナット以外の特殊多角形ナットであることを特徴とする請求項１または２に記載の舶用扉の施錠装置。
【請求項４】
前記締緩手段が常時には特殊多角形ナットを確認出来ない遮蔽手段および緊急時には船内よりの操作により特殊多角形ナット位置を容易に確認可能とする明示手段を併設してなることを特徴とする請求項１乃至３のいずれか１項に記載の舶用扉の施錠装置。
【請求項５】
請求項１乃至４に記載の施錠装置を少なくとも１セット設けたことを特徴とする舶用扉。
【発明の詳細な説明】
【技術分野】
【０００１】
本発明は、舶用扉の施錠装置、およびそれを設けた舶用扉に関するものである。  
【背景技術】
【０００２】
２００４年７月１日に発効された「船舶及び港湾施設の保安に関する国際規則（ＩＳＰＳコード）」において、航海中の船舶に対しても、今まで以上にセキュリティーの強化がもとめられている。また、近年マラッカ、シンガポール海峡において航海中の船舶が海賊に襲撃される事件が起こり、海賊対策のニーズが増えつつある。
このような条件下にあって、海賊対策の一つとして、また、船内に貯蔵された物品の盗難対策として、居住区内部より扉を施錠・解錠できる錠システムが色々提案されている。（例えば、特許文献１参照）。
【特許文献１】実公昭５０−３６０５２号公報
【発明の開示】
【発明が解決しようとする課題】
【０００３】
しかしながら、従来の対策の多くは、これらの対策として舶用扉の風雨密戸を開閉するために使用する回転式留め金具の１箇所を改造して施錠装置としていたため、風雨密戸の開閉時に誤操作をする可能性が高い嫌いがあった。
また、海賊対策などで船内の居住区内部よりのみで扉を施錠・解錠可能とする錠システムでは、緊急時にＣｏａｓｔ  ｇｕａｒｄ等による救出のための外からの解錠に対しては、必ずしも十分なるものではない。
上記に鑑み、本発明においては、通常の風雨密戸の開閉手段に加えて、海賊対策ばかりでなく、緊急時に対するセキュリティーをも十分に満足する舶用扉用の施錠装置、およびそれを設けた舶用扉を提供するところに、その目的がある。
【課題を解決するための手段】
【０００４】
本発明の舶用扉用の施錠装置は、  
１）  船舶用のヒンジ型舶用扉に対する施錠装置であって、該舶用扉を船体内外より同軸上のハンドルにより鎖錠、解錠を行う施錠部材とは別途に設けられており、立上がり部に固定起立された１本または複数のボルト・ナットにより舶用扉に直接係合される金具本体と、該金具本体の前記立上がり部に直交連接された金具本体の脚部に設けられたヒンジ軸を中心に１８０゜回転して舶用扉の施錠、解錠を船内からのみ可能とする反転式留め金とを有しており、
また、該反転式留め金の施錠、解錠状態を確実に保持するための係合手段を具え、且つ前記１本または複数のボルト・ナットは船外より特殊工具によってのみ締緩される締緩手段を有するものである。
２）また、上述の１）において、前記ヒンジ軸を金具本体の脚部に固定起立されたピン又はボルト・ナットとし、前記係合手段をヒンジ軸に並列起立されたボルト・ナットとしたものであり、
３）上述の１）または２）において、前記締緩手段を袋ナット方式とし、ナットを六角ナット以外の特殊多角形ナットとしたものであり、
４）上述の１）〜３）において、前記締緩手段を、常時には特殊多角形ナットを確認出来ない遮蔽手段および緊急時には実施例１のような方法により特殊多角形ナット位置を容易に確認可能とする明示手段を併設したものである。
【０００５】
本発明の舶用扉は、  
５）上述の１）〜４）に記載の施錠装置を少なくとも１セット設けたことを特徴とするものである。
【発明の効果】
【０００６】
本発明の舶用扉用の施錠装置により、海賊対策ばかりでなく、緊急時に対するセキュリティーをも十分に満足する、取り扱いが容易で、且つ誤動作の介入し難い舶用扉を提供することができる。
【発明を実施するための最良の形態】
【０００７】
図１は本発明の実施例１の構成を説明するための模式図である。（ａ）は通常の解錠時の状態を説明する図、（ｂ）は海賊対策等の施錠時の状態を説明する図、（ｃ）は緊急解錠時の状態を説明する図である。
図２は本発明の実施例１の作用を説明するための拡大説明図である。  
図３は本発明の実施例２の構成を説明するための模式図である。（ａ）は通常の解錠時の状態を説明する図、（ｂ）は海賊対策等の施錠時の状態を説明する図、（ｃ）は緊急解錠時の状態を説明する図である。
図４は本発明の施錠装置を設けた舶用扉の居住側面側の１例を示す図である。
図において、１は金具本体、１１は金具本体の立上がり部、１２は金具本体の脚部、２は反転式留め金具、２１は反転式留め金具のヒンジ軸ピン用バカ孔、２２は反転式留め金具の固定ボルト用バカ孔、２３は反転式留め金具の先端部、２４は金具本体の脚部におけるヒンジ軸ピン用バカ孔、２５は金具本体の脚部における固定ボルト用バカ孔（解錠時用）、２６は金具本体の脚部における固定ボルト用バカ孔（施錠時用）、３はヒンジ軸用のピン、又はボルト・ナット、４は反転式留め金具用固定ボルト・ナット、５は金具本体を舶用扉に固定する固定用ボルト部、６は座金、７は特殊多角ナット、８は特殊工具、９は保護ケーシング、１０は回転防止金具、１００は舶用扉、１１０はハンドル型施錠装置、１２０は本発明の施錠装置、１３０は出入り開口部である。
なお、図における各部の寸法、形状は、説明のために誇張または簡略して表示されており、本発明はこれにより制約されるものではない。
【実施例１】
【０００８】
一般的な舶用扉１００には図４において示されるように風雨密戸用の複数のハンドル型施錠装置１１０が舶用扉１００の周辺に複数個設けられ、舶用扉１００を船体居住区への出入り開口部１３０に扉のヒンジ部を中心に開閉可能にセットされている。
しかしながら、前述のごとく該ハンドル型施錠装置１１０は舶用扉１００の内外側において開閉操作が可能であり、緊急時における解錠機能は特に問題はなかったが、居住区内部からの施錠、解錠するのに一部問題があり、このため従来複数個のハンドル型施錠装置１１０の内の一箇所を居住区内部からのみ操作可能な特殊回転式留め金とすることが行なわれていたが、前記特殊回転式留め金具は乗組員が舶用扉１００を開閉し出入する際にも使用することから、居住区内から誤って特殊回転式留め金具を操作し施錠してしまう可能性が高いという問題があった。
本発明は、基本的に、上記ハンドル型施錠装置１１０とは別途に設けられる反転式留め金具２を有し、且つ居住区内部からのみ操作可能な施錠装置１２０である。主として、舶用扉１００の開閉ヒンジ部に対して反対側の居住区側に設けられる。
【０００９】
図１、図２において、本実施例１の施錠装置１２０は、舶用扉１００の居住区側面に金具本体１を固定するための固定ボルト部５を有している。固定ボルト部５は金具本体１の立上がり部１１に溶接等により接続固定されており、これに使用するナット７は特殊多角形の形状を有している。この特殊多角形形状は、海賊による緩め外しが容易に出来ないように特殊な形状により構成されている。例えば、図５に示すごとき（イ）５角形状、（ロ）３角形状、（ハ）キー型形状等の、通常の６角形状ナット用の工具では緩め外しが出来ない６角形以外の形状とする。いかなる形状を用いているかはセキュリティのために関係者以外には知り得ないようにすることもできる。
固定用ボルト部５は、海水等に対する耐腐食性および海賊により破壊されないための十分な材料強度を有するものであり、且つ、金具本体１との溶接接合に適する材料を使用する必要がある。対溶接性を付加したＳＵＳ３０４Ｌ、３１６Ｌ等が好ましい。またボルトの強度としては、当然海賊により破壊されないための強度を保持する断面強度が必要であり、引張強度として３００〜４００（Ｎ／ｍｍ2  ） が好ましい。３００以下では経験的および多くの施工経験より耐荷重（３．６ＫＮ）に対し十分でなく、また４００以上ではコストが急激にアップし好ましくない。
【００１０】
前記金具本体１の立上がり部１１に略直角に連接して金具本体１の脚部１２が設けられている。脚部１２には反転式留め金具２のためのヒンジ用ピンまたはボルト・ナット３のためのバカ孔２４を中央に挟んで対称位置に反転式留め金具２を該脚部１２面に固定保持するための反転式留め金具用固定ボルト・ナット４のためのバカ孔２５、２６が併設されている。なお、ヒンジ用ピンまたはボルト３を直接脚部１２に溶接等により固定起立させ、バカ孔２４を省略してもよい。
反転式留め金具２は、図１、２に示されるように、通常は鋼板により形成し中央部に反転のためのヒンジ軸用ピン３のためのバカ孔２１が設けられており、また該バカ孔２１より前記反転式留め金具用の固定ボルト・ナット４に対応するバカ孔２２が設けられている。
また、前記金具本体１は、必ずしも板状材料でなくてもよい。
なお、本実施例１における、固定用ボルト部５、ヒンジ用ピンまたはボルト３の各直径は１例として１０ｍｍである。また、金具本体１および反転式留め金具２の厚さは各９ｍｍの例を示す。
【００１１】
上記構成による本実施例１における作用を以下詳述する。
図１（ａ）の通常状態（解錠時）において、舶用扉１００は船の出入り開口部１３０にハンドル型施錠１１０（図示されていない）により施錠されている。この状態においては該ハンドル型施錠１１０とは別途に設けられた本発明の施錠装置１２０は解錠状態となっている。すなわち、反転式留め金具２は船の出入り開口部１３０とは係合されていない位置である反転位置にボルト４によりバカ孔２５位置に固定保持されている。
この通常状態（解錠時）から、一旦海賊対策を要する場合、すなわち海賊が居住区内へ侵入するのを防ぐために本発明の施錠装置１２０を居住区側より作用させる。すなわち反転式留め金具２の解錠状態を解除し、反転式留め金具２をヒンジ軸用ピン３を中心として１８０°反転し、反転式留め金具２の先端部２３を船の出入り開口部１３０に当接させ、且つ脚部１２のバカ孔２６と反転式留め金具２のバカ孔２２とを合致させ、ボルト４により固定保持する。これにより舶用扉１００は外部よりの開放が出来ない状態となる。
【００１２】
実施例１における図１（ｂ）の施錠状態は、上述のごとくこの施錠状態により海賊等による外部から居住区への侵入を防止することはできるが、反面この状態は遭難等の緊急事態における外部からの扉開放を要する場合には、外部からの緊急の扉開放をも拒否している。
本発明は、実施例１の図１（ｃ）に示すように、緊急解錠時に前記金具本体１の立上がり部１１に設けられ、本発明の施錠装置１２０を舶用扉１００に固定する固定用ボルト５の特殊多角ナット７を緩めることにより施錠装置１２０を舶用扉１００より切り離し、舶用扉１００を開放することができる。
【００１３】
本発明はこの緊急時の開放が、固定用ボルト５の特殊多角ナット７を緩めることによりおこなわれ、これが前述のごとく特殊多角ナット７の形状を図５に示めされるような通常の６角ナット用の工具では緩めることが出来ない特殊形状にしているところに特徴がある。５角形状、３角形状、キー型形状等この目的に合う形状であれば如何なる形状のものでもよい。当然この特殊多角ナット７に合う工具を容易する必要があるし、また、その形状を一般者には容易には示されないセキュリティ対策が併せて必要である。
奥の深い袋ナット方式によりナット面が判りかねる構造や、袋ナットのガイド部入り口に遮蔽対により覆う方法等が考えられる。
【００１４】
また、緊急時には闇夜のために該特殊多角ナット７位置が容易に確認出来ない場合もあり、これを想定して、特殊多角ナットに紫外線を当てると発光する塗料を施し、携帯型紫外線ライトの照射により、夜間緊急時にもナット位置を容易に確認できるようにしてもよい。また、特殊工具の収納場所についても、発光塗料により収納場所を示すことにより夜間でも容易にこれを確認することができる。
【００１５】
さらに、海賊による解錠処理時間を極力遅延させるための手段、例えば、２本の固定ボルト１の特殊形状のナットを意識的に互いに異なる多角形ナットを使用することもできる。
また、本実施の形態１における、袋ナット方式の特殊多角ナット周りのコーミングの高さｈは、ボルト部の保護をも考慮してボルト径の約２〜５倍とし、且つ扉の艤装品と干渉しないように設計留意する。なおコーミングの内径については使用する特殊工具の外径に合わせ適当な若干のクリアランスをもって設定される。
前記コーミング高さｈがのボルト径の２倍以下では、特殊工具以外の工具によりナット緩め処理も可能となる恐れもあり、また、高さｈがボルト径の５倍以上では、コーミングの突出量がいたずらに高くなって扉の艤装品との干渉も生じ、その割にはナット緩め処理への効果が有利とならないことが確認された。
【００１６】
本実施例１により海賊対策などで船内の居住区内部よりのみで扉を施錠・解錠可能とし、且つ緊急時にＣｏａｓｔ  ｇｕａｒｄ等による救出のための外からの解錠に対しても、十分対応出来る施錠装置を提供することができる。
【実施例２】
【００１７】
本実施例１は、図３に示すように、本発明の施錠装置１２０を舶用扉１００に固定するためのボルト・ナット（５、６、７）が実施例１においては２組であったものを１組にしたものであり、その他の構造や各部の作用は実施例１の場合と同一でありこれを省略する。
本実施例２は、ボルト１本にて必要強度が確保でき設計が成立する場合に採用されるもので、実施例１に比しコスト的に有利であるばかりでなく、緊急時における解錠処理が容易となる。本実施例２における金具本体を舶用扉に固定する固定用ボルト部５の直径は、１例として１６ｍｍの場合を示し、その他の寸法は実施例１に準じている。
【産業上の利用可能性】
【００１８】
本発明の施錠装置は、舶用扉のみでなく同様な要求を求められる扉への転用を図ることができる。
【図面の簡単な説明】
【００１９】
【図１】本発明の実施例１の構成を説明するための模式図である。（ａ）は通常の解錠時の状態を説明する図、（ｂ）は海賊対策等の施錠時の状態を説明する図、（ｃ）は緊急解錠時の状態を説明する図である。
【図２】本発明の実施例１の作用を説明するための拡大説明図である。
【図３】本発明の実施例２の構成を説明するための模式図である。（ａ）は通常の解錠時の状態を説明する図、（ｂ）は海賊対策等の施錠時の状態を説明する図、（ｃ）は緊急解錠時の状態を説明する図である。
【図４】本発明の施錠装置を設けた舶用扉の居住側面側の１例を示す図である。
【図５】特殊多角形ナットの例を示す図である。
【符号の説明】
【００２０】
１      金具本体、
１１      金具本体の立上がり部、
１２      金具本体の脚部、
２      反転式留め金具、
２１      反転式留め金具のヒンジ軸ピン用バカ孔、
２２      反転式留め金具の固定ボルト用バカ孔。
２３      反転式留め金具の先端部、
２４      金具本体の脚部におけるヒンジ軸ピン用バカ孔、
２５      金具本体の脚部における固定ボルト用バカ孔（解錠時用）
２６      金具本体の脚部における固定ボルト用バカ孔（施錠時用）
３      ヒンジ軸用のピン、又はボルト・ナット、
４      反転式留め金具用固定ボルト・ナット、
５      金具本体を舶用扉に固定する固定用ボルト部、
６      座金、
７      特殊多角ナット、
８      特殊工具、
９      保護ケーシング
１０      回転防止金具
１００    舶用扉、
１１０    ハンドル型施錠装置、
１２０    本発明の施錠装置、
１３０    出入り開口部。
【図１】
2008155669.tif 000003
【図２】
2008155669.tif 000004
【図３】
2008155669.tif 000005
【図４】
2008155669.tif 000006
【図５】
2008155669.tif 000007